(57)【要約】  【課題】本発明は、リーダライタに対して非接触でデータ授受が自在であり、複数の周波数に対応したＩＣチップを搭載したＲＦＩＤ型シートに関し、複数の周波数に対応可能であってもアンテナ形成領域を縮小し、全体的に小型化を図ることを目的とする。  【解決手段】ＲＦＩＤ型シート１１は、シート基部１２に、例えば１３．５６ＭＨｚ、９５０ＭＨｚ、２．４５ＧＨｚの周波数のそれぞれに対応自在なＩＣチップを搭載させ、その対応周波数のうち、例えば１３．５６ＭＨｚの一の周波数で交信可能とする一のアンテナ回路を構成させる形状であり、当該一のアンテナ回路部を構成する形状がの他の周波数のそれぞれで交信可能とする形状を内在する単一の合成アンテナ部２３Ａが形成され、当該合成アンテナ部２３Ａの形状を、切取線１４Ａ，１４Ｂで断裁して他の周波数のそれぞれで交信可能な形状とさせる構成とする。  【選択図】  図１
2005284517.tif 000002
【特許請求の範囲】
【請求項１】
複数の周波数のそれぞれでリーダライタと非接触による交信が自在なＩＣチップが搭載されるＲＦＩＤ型シートであって、
前記ＩＣチップに対して、複数の対応周波数のうち、一の周波数で交信可能とする一のアンテナ回路を構成させる形状であると共に、当該一のアンテナ回路部を構成する形状が所定数の他の周波数のそれぞれで交信可能とする形状を内在する単一の合成アンテナ部と、
前記合成アンテナ部が形成され、前記ＩＣチップが搭載されるシート基部と、
前記シート基部に形成されるもので、前記一の周波数で交信可能な前記合成アンテナ部の形状を、その一部を断裁して所定数の他の周波数のそれぞれで交信可能な形状とさせる所定数の切取部と、
を有することを特徴とするＲＦＩＤ型シート。
【請求項２】
請求項１記載のＲＦＩＤ型シートであって、前記切取部の端部に切り取りをガイドするための切取ガイド部が形成されることを特徴とするＲＦＩＤ型シート。
【発明の詳細な説明】
【技術分野】
【０００１】
本発明は、リーダライタに対して非接触でデータ授受が自在であり、複数の周波数に対応したＩＣチップを搭載したＲＦＩＤ型シートに関する。
【背景技術】
【０００２】
近年、ＲＦＩＤ（Ｒａｄｉｏ  Ｆｒｅｑｕｅｎｃｙ  Ｉｄｅｎｔｉｆｉｃａｔｉｏｎ）と称される非接触型ＩＣメディアに関する技術が急速に進歩してきており、非接触型のＩＣカードやＩＣタグ等に搭載されるＩＣチップが小型かつ安価になってきている。このようなＲＦＩＤ型のＩＣチップを使用する場合の使用形態の拡大が望まれる。
【０００３】
従来、ＲＦＩＤ型のＩＣチップを使用した非接触型ＩＣメディアの種類が多岐に亘っているが、その中でもＲＦＩＤタグとして適用させることも、例えば以下の特許文献で知られている。
【０００４】
【特許文献１】特開２００３−２６３６２０号公報
【０００５】
上記特許文献には、コイルアンテナの共振周波数を簡易かつ確実にチューニングするＲＦＩＤタグが開示されているもので、具体的には、基板上に、通信回路とメモリが内蔵されたＩＣチップと、ＩＣチップに接続され、基板上に銀ペーストでパターン印刷されたコイルアンテナとを具備し、コイルアンテナの内側コイルと外側コイルとの間にコイルアンテナの巻き形状に沿った切込溝を形成し、この切込溝に沿ってコイルアンテナを折り曲げ、コイルアンテナの全長および面積を変化させることによりコイルアンテナのインダクタンスを変更するというものである。
【発明の開示】
【発明が解決しようとする課題】
【０００６】
上記特許文献に記載されているＲＦＩＤ型タグを含めて、一般的に普及しているＲＦＩＤ型タグは、単一の周波数での交信精度が向上されているものもあるが、あくまでも単一の周波数でしか交信することができない。一方で、複数の周波数のそれぞれに対応できるＲＦＩＤ型のＩＣチップを使用したＲＦＩＤ用アンテナを本件出願人の出願である特願２００４−６２７５１号に開示したが、交信対象の周波数が順次定められた場合であってもそれぞれの周波数に対応させるためには対応のアンテナを複数形成しなければならない。そのため、各周波数で別々に使用する場合であっても複数のアンテナが形成されることとなり、その分の形成領域を必要とすることとなる。
【０００７】
そこで、本発明は上記課題に鑑みなされたもので、複数の周波数に対応可能であってもアンテナ形成領域を縮小し、全体的に小型化を図るＲＦＩＤ型シートを提供することを目的とする。
【課題を解決するための手段】
【０００８】
上記課題を解決するために、請求項１の発明では、複数の周波数のそれぞれでリーダライタと非接触による交信が自在なＩＣチップが搭載されるＲＦＩＤ型シートであって、前記ＩＣチップに対して、複数の対応周波数のうち、一の周波数で交信可能とする一のアンテナ回路を構成させる形状であると共に、当該一のアンテナ回路部を構成する形状が所定数の他の周波数のそれぞれで交信可能とする形状を内在する単一の合成アンテナ部と、前記合成アンテナ部が形成され、前記ＩＣチップが搭載されるシート基部と、前記シート基部に形成されるもので、前記一の周波数で交信可能な前記合成アンテナ部の形状を、その一部を断裁して所定数の他の周波数のそれぞれで交信可能な形状とさせる所定数の切取部と、を有する構成とする。
【０００９】
請求項２の発明では、前記切取部の端部に切り取りをガイドするための切取ガイド部が形成される構成である。
【発明の効果】
【００１０】
本発明によれば、シート基部に、複数の周波数のそれぞれに対応自在なＩＣチップに対して複数の対応周波数のうちの一の周波数で交信可能とする一のアンテナ回路を構成させる形状であると共に、当該一のアンテナ回路部を構成する形状が所定数の他の周波数のそれぞれで交信可能とする形状を内在する単一の合成アンテナ部が形成され、当該合成アンテナ部の形状を、その一部を断裁して所定数の他の周波数のそれぞれで交信可能な形状とさせることにより、単一のアンテナ回路から他の複数の周波数に対応させることができるもので、複数の周波数に対応可能であってもアンテナ形成領域を縮小させ、全体的に小型化させることができるものである。
【発明を実施するための最良の形態】
【００１１】
以下、本発明の最良の実施形態を図により説明する。以下の第１〜第３の実施形態では、複数の周波数のそれぞれに対応可能なＩＣチップとして、株式会社エフイーシー製のＩＣチップ（商品名「ＭＭチップ」）を使用する場合を説明すると共に、対応の周波数を例えば３種類の周波数（１３．５６ＭＨｚ、９５０ＭＨｚ、２．４５ＧＨｚ）として説明するが、これは現在の電波法により規制された周波数として示すものであって、異なる周波数であっても本願発明の技術思想に影響を与えるものではない。
【００１２】
図１に、本発明に係るＲＦＩＤ型シートの第１実施形態の構成図を示す。図１（Ａ）はＲＦＩＤ型シートの平面図、図１（Ｂ）、（Ｃ）はそれぞれ分離したときの説明図である。図１（Ａ）において、ＲＦＩＤ型シート１１は、例えば紙材、フィルム、プラスティック等の破断を受容する部材のシート基部１２上に、複数の周波数に対応可能なＩＣチップ２１を搭載させるための接続パッド２２Ａ，２２Ｂが形成される。例えば、接続パッド２２Ａが外部アンテナ端子ともなり、接続パッド２２ＢがＣＯＭ端子ともなる。
【００１３】
また、シート基部１２上には、図示の如く、所定数巻回されたコイルが合成アンテナ部２３Ａとして形成されるもので、一端が接続パッド２２Ａに接続され、他端が接続パッド２２Ｂに接続される。この場合、コイルの一端と巻回部分との交差する部分には絶縁部２４が形成され、当該絶縁部上に当該コイルの一端を形成させることで短絡を回避させている。この合成アンテナ部２３Ａの形状が周波数１３．５６ＭＨｚに対応したものとなる。
【００１４】
また、上記合成アンテナ部２３Ａは、上述の複数の対応周波数のうち、一の周波数で交信可能とする一のアンテナ回路を構成させる形状であると共に、当該一のアンテナ回路部を構成する形状が所定数の他の周波数のそれぞれで交信可能とする形状を内在するもので、接続パッド２２Ａ，２２Ｂからコイル巻回部分まで延出されるラインが、適宜屈曲させた直線形状とさせ、周波数９５０ＭＨｚおよび２．４５ＧＨｚで交信可能とされる長さを内在させたものである。すなわち、当該合成アンテナ部２３Ａは、当初は周波数１３．５６ＭＨｚで交信可能な形状で、周波数９５０ＭＨｚおよび２．４５ＧＨｚで交信可能とされる長さを内在する形状のものである。
【００１５】
なお、上記合成アンテナ部２３Ａにおけるそれぞれの周波数に対応する各アンテナの長さは、従前の設計手法で定められるもので、ここでの説明は省略する（例えば、本件出願人の出願である特願２００４−６２７５１号を参照）。なお、アンテナの材質や周波数等の各種条件によっては、実測データに基づいてアンテナ長さや切取線の位置が調整されも場合もある。
【００１６】
上記接続パッド２２Ａ，２２Ｂおよび合成アンテナ部２３Ａは、シート基部１２上に例えば導電性インキにより所定の印刷工程で形成させることができ、上記絶縁部２４においても絶縁性インキにより所定の印刷工程で形成させることもできる。また、蒸着、エッチングや、薄膜金属の貼り付けによっても形成させることができる。
【００１７】
一方、シート基部１２には、それぞれの接続パッド２２Ａ，２２Ｂより合成アンテナ部２３Ａの巻回部分までの長さのうち、周波数９５０ＭＨｚに対応する長さの箇所に切取部である切取線１４Ａが形成されると共に、またそれぞれの接続パッド２２Ａ，２２Ｂより合成アンテナ部２３Ａの巻回部分までの長さのうち、周波数２．４５ＧＨｚに対応する長さの箇所であって当該シート基部１２の端部より上記切取線１４Ａまでのそれぞれに切取線１４Ｂ，１４Ｂが形成される。そして、当該切取線１４Ａ，１４Ｂの両端、一方端の何れかに当該シート基部１２の切り取りをガイドする切取ガイド部１５，１５が形成される。
【００１８】
上記ＲＦＩＤ型シート１１においては、切取線１４Ａの左右で仕切られる合成アンテナ部２３Ａの巻回部分が形成された領域を使用対象領域１３Ａ，１３Ｂとさせ、さらに使用対象領域１３Ｂの切取線１４Ｂ間の上記ＩＣチップ２１が搭載された領域を使用対象領域１３Ｃとさせるものである。
【００１９】
上記ＲＦＩＤ型シート１１は、図１（Ａ）においては、上記合成アンテナ部２３Ａが周波数１３．５６ＭＨｚで対応のリーダライタとの交信が可能であり、図１（Ｂ）に示すように使用対象領域１３Ａが切取線１４Ａで分離された後の使用対象領域１３Ｂが合成アンテナ部２３Ｂにより周波数９５０ＭＨｚで交信が可能であり、そして図１（Ｃ）に示すように使用対象領域１３Ｂが切取線１４Ｂ，１４Ｂで分離された後の使用対象領域１３Ｃが個別アンテナ部２５となって周波数２．４５ＧＨｚで交信が可能となるものである。
【００２０】
ここで、図２に、図１のＲＦＩＤ型シートのブロック概念図を示す。図２は当該ＲＦＩＤ型シート１１がリーダライタと交信する場合のもので、当該リーダライタのブロック図も示してある。図２において、ＲＦＩＤ型チケット１１は、上記ＩＣチップ２１が例えば制御回路部３１、メモリ３２、変復調回路部３３、電源回路部３４および検波回路部３５で構成されると共に、合成アンテナ部２３Ａが上記変復調回路部３３および検波回路部３５に接続されたものである。この合成アンテナ部２３Ａは、上述のようにシート基部１２の分離の有無および分離形態でそれぞれ合成アンテナ部２３Ａ，２３Ｂおよび個別アンテナ部２５となり、それぞれ周波数１３．５６ＭＨｚ、９５０ＭＨｚおよび２．４５ＧＨｚに対応したものとなる。
【００２１】
制御回路部３１は、プログラムにより、受信した制御信号、データをメモリ３２に記憶させ、またメモリ３２に記憶したデータを適宜多重化させて送信する処理を行うもので、メモリ３２は当該ＲＦＩＤ型シート１１の適用される形態に関する情報を記憶するためのものである（図３の適用例で説明する）。上記変復調回路部３３は、アンテナ部の何れかより受信した電波から制御信号、データを復調し、適宜コード変換すると共に、何れかのアンテナ部よりメモリ３２に記憶された所定のデータをリーダライタに送信するためにエンコード（適宜、多重化）する。上記検波回路部３５は、リーダライタ側からの送信信号の周波数を検波するもので、上記のように複数種類の周波数のうちの一つの周波数を検波する。そして、電源回路部３４は、クロックジェネレータを備え、検波された周波数のキャリアを直流電源に変換してそれぞれに電源供給するものである。
【００２２】
一方、リーダライタ４１は、制御回路部４２，メモリ４３、変復調回路部４４、発振回路部４５、電力増幅回路部４６、検波回路部４７、アンテナ４８および電源回路部４９を適宜備える。このリーダライタ４１は、使用場所での使用周波数（例えば上記同様の周波数１３．５６ＭＨｚ、９５０ＭＨｚ、２．４５ＧＨｚ）に応じて交信するものとして示してある。上記制御回路部４２は、このリーダライタ４１の全体を統括制御するもので、これに応じたプログラムがセットされている。上記メモリ４３は、当該ＲＦＩＤ型シート１１の適用される形態に関するデータを記憶する。
【００２３】
上記変復調回路部４４は、適宜、ＲＦＩＤ型シート１１に対して情報を送信する場合の情報を例えば「１」、「０」に変換し、またＲＦＩＤ型シート１１からの送信データを例えば「１」、「０」に変換するデータ変換回路を備えるもので、発振回路部４５からの発振出力に基づいて送信する情報を例えばＦＳＫ（周波数偏位変調）変調波に変調すると共に、当該ＲＦＩＤ型シート１１からの情報を復調する。上記電力増幅回路部４６は、変復調回路部４４で変調された変調波を電力増幅するもので、この増幅された変調波がアンテナ４８より送信されるものである。そして、検波部４７は、アンテナ４８で受信した当該ＲＦＩＤ型シート１１からの送信電波を検波するものである。
【００２４】
すなわち、リーダライタ４１は、ＲＦＩＤ型シート１１に対してメモリ３２に記憶されている所定の情報を読み取るための信号を該当の周波数で出力する。するとＲＦＩＤ型シート１１では送られてきた信号の周波数のキャリアで直流電源を生成し、当該電源による制御回路部３１の動作で所望の情報をメモリ３２より読み出してリーダライタ４１に送信する。リーダライタ４１では受信した情報に基づいて当該ＲＦＩＤ型シート１１の適用される形態に関する情報に関する所定のデータ処理を行うものである。
【００２５】
そこで、図３に、本発明に係るＲＦＩＤ型シートの一適用例の説明図を示す。図３（Ａ）〜（Ｃ）は、上記ＲＦＩＤ型シート１１をＲＦＩＤ型タグに適用し、飛行機を利用した移動における手荷物に取り付けられる場合を示したものである。ここで、現在では、ＲＦＩＤ型タグを使用する場合の周波数は各国の空港で異なり、米国では２．４５ＧＨｚの周波数で使用され、日本国では１３．５６ＭＨｚの使用されていることから、これに応じて説明する。また、空港によっては交信周波数が９５０ＭＨｚとされていることもあり、交信周波数が９５０ＭＨｚとされている空港を経由する場合として説明する。
【００２６】
図３（Ａ）において、例えば日本国より所定の空港を経由して米国に飛行機で移動する場合に手荷物５１にはＲＦＩＤ型タグ５２が取り付けられ、日本国の対応空港に備えられたリーダライタ（交信周波数１３．５６ＭＨｚ）４１Ａにより所定の交信が行われ、経由空港で備えられたリーダライタ（交信周波数９５０ＭＨｚ）４１Ｂにより所定の交信が行われ、そして米国の対応空港に到着した際に備えられたリーダライタ（交信周波数２．４５ＧＨｚ）４１Ｃで手荷物５１に取り付けられたＲＦＩＤ型タグ５２と所定の交信が行われるものである。
【００２７】
そこで、図３（Ｂ）に示すように、ＲＦＩＤ型タグ５２は、上記ＲＦＩＤ型シート（１１）上に表示シート５３が接着剤等により設けられたもので、上述の切取部１４Ａ，１４Ｂおよび切取ガイド部１５が当該表示シート５３まで形成される。この表示シート５３上には所定の当該ＲＦＩＤ型タグ５２の使用形態に応じた表示が施される。
【００２８】
上記表示シート５３上の使用対象領域１３Ａには、周波数１３．５６ＭＨｚに対応したものとして日本国における出発に関する情報、搭乗者名が表示され、適宜当該タグの識別番号（または識別コード）が表示される。これらの情報が、例えばＲＦＩＤ型タグ５２のＩＣチップ２１のメモリ３２内に記憶される。また、使用対象領域１３Ｂには、経由空港における周波数９５０ＭＨｚに対応したものとして上記同様の情報等が表示され、この経由空港の情報も上記メモリ３２内に記憶さえる。そして、使用対象領域１３Ｃは米国における到着に関する情報と、上記同様の搭乗者名、識別番号等が表示される。この到着国における情報もメモリ３２内に記憶される。なお、読取りのみ可能なＩＣチップや、メモリの容量が少ないＩＣチップを使用する場合には、ＩＣチップのメモリに予め記録された識別情報と、前記の出発〜到着、搭乗者に関する情報等を関連付けて管理することとしてもよい。
【００２９】
すなわち、上記のようなＲＦＩＤ型タグ５２が手荷物５１に取り付けられてリーダライタ（交信周波数１３．５６ＭＨｚ）４１Ａと交信することで、当該手荷物５１に関する情報の処理が当該リーダライタ４１Ａを介して図示しない管理コンピュータ等に送られて登録される。そして、リーダライタ４１Ａとの交信が終了したときには、図３（Ｃ）に示すように、例えば係員により切取線１４Ａより切り取られて分離され（リーダライタ４１Ａを備えるシステムとして、当該システム内で自動的分離させてもよい）、例えば使用対象領域１３Ａを半券として手荷物所持者に手渡してもよく、また空港側で保管管理してもよい。例えば、後に上記表示された識別番号で当該手荷物５１（残りのＲＦＩＤ型タグ５２の使用対象領域１３Ｂ，１３Ｃ）との関連付けに使用することもできるものである。
【００３０】
また、同様に、経由空港において、ＲＦＩＤ型タグ５２が手荷物５１に取り付けられてリーダライタ（交信周波数９５０ＭＨｚ）４１Ｂと交信することで、当該手荷物５１に関する情報の処理が当該リーダライタ４１Ｂを介して図示しない管理コンピュータ等に送られて登録される。そして、リーダライタ４１Ｂとの交信が終了したときには、図３（Ｃ）に示すように、例えば係員により切取線１４Ｂ，１４Ｂより切り取られて使用対象領域１３Ｃと分離される（リーダライタ４１Ｂを備えるシステムとして、当該システム内で自動的分離させてもよい）。
【００３１】
そして、図３（Ｃ）に示すように、使用対象領域１３Ｂ，１３Ｂが分離された残りの使用対象領域１３ＣのＲＦＩＤ型タグ５２が取り付けられた手荷物５１が、米国に到着したときに対応空港に備えられたリーダライタ（交信周波数２．４５ＧＨｚ）４１Ｃと交信され、到着確認を行わせるものである。
【００３２】
なお、上記ＲＦＩＤ型タグ５２の取り付け形態は種々対応することができるもので、例えばラベル形態としてもよい。この場合、表示シート５３が設けられたＲＦＩＤ型シート１１を台紙等に剥離自在に接着し、当該台紙を対象物に接着剤により接着させることで取り付け、使用対象領域１３Ａを切取線１４Ａで台紙より剥離させることで使用対象領域１３Ｂと分離し、さらに使用対象領域１３Ｂの切取線１４Ｂ間で台紙より剥離させることで使用対象領域１３Ｃとして交信可能なアンテナに切り換えることとしてもよい。
【００３３】
このように、上記ＲＦＩＤ型シート１１は、単一のアンテナ回路（交信周波数１３．５６ＭＨｚ）の合成アンテナ部２３Ａから交信周波数９５０ＭＨｚ、２．４５ＧＭＨｚの周波数に対応させることができるもので、複数の周波数に対応可能であってもアンテナ形成領域を一のアンテナ回路の領域のみで形成させて全体の形成領域を縮小させることができ、全体的に小型化させることができるものである。
【００３４】
次に、図４に、本発明に係るＲＦＩＤ型シートの第２実施形態の構成図を示す。なお、上記第１実施形態と同一の構成部分には同一の符号を付して説明を省略する。図４（Ａ）において、ＲＦＩＤ型シート６１は、シート基部１２上には、図示の如く、所定数巻回されたコイルが合成アンテナ部２３Ａとして形成されるもので、一端が接続パッド２２Ａに接続され、他端がコイル上に形成された絶縁部２４の表面上を懸架されるように接続パッド２２Ｂに接続される。この合成アンテナ部２３Ａの形状が周波数１３．５６ＭＨｚに対応したものとなる。
【００３５】
また、シート基部１２には、それぞれの接続パッド２２Ａ，２２Ｂより合成アンテナ部２３Ａの巻回部分までの長さを周波数２．４５ＧＨｚに対応する長さの箇所に切取線１４Ａ（切取ガイド部１５）が形成されるもので、これによって使用対象領域１３Ａと使用対象領域１３Ｃとが区分けされる。すなわち、接続パッド２２Ａ，２２Ｂからコイル巻回部分まで延出されるラインが、適宜屈曲させた直線形状とさせ、周波数２．４５ＧＨｚで交信可能とされる長さとして内在させたもので、当該合成アンテナ部２３Ａは、当初では周波数１３．５６ＭＨｚで交信可能な形状で、周波数２．４５ＧＨｚで交信可能とされる長さを内在する形状のものである。
【００３６】
そこで、切取線１４Ａで使用対象領域１３Ａと使用対象領域１３Ｃとを分離すると、図４（Ｂ）に示すように、使用対象領域１３Ａにおける合成アンテナ部２３Ａが周波数１３．５６ＭＨｚにより交信可能で、切取線１４Ａで分離された使用対象領域１３Ｃが周波数２．４５ＧＨｚで交信可能な個別アンテナ部２５となるものである。
【００３７】
上記ＲＦＩＤ型シート６１を、例えば図３のＲＦＩＤ型タグに適用させた場合、出発国の日本国の空港に備えられたリーダライタ４１Ａに対して合成アンテナ部２３Ａが周波数１３．５６ＭＨｚで交信可能であり、当該使用対象領域１３Ｃが分離された後に到着国の米国の空港に備えられたリーダライタ４１Ａに対して周波数２．４５ＧＨｚで交信させることができるものである。
【００３８】
このように、上記ＲＦＩＤ型シート６１を、交信周波数２．４５ＧＨｚに対応した形状を内在させた交信周波数１３．５６ＭＨｚの単一の合成アンテナ部２３Ａとすることによっても、上記同様に複数の周波数に対応可能としたアンテナ形成領域を一のアンテナ回路の領域のみで形成させて全体の形成領域を縮小させることができ、全体的に小型化させることができるものである。
【００３９】
次に、図５に、本発明に係るＲＦＩＤ型シートの第３実施形態の構成図を示す。なお、上記実施形態と同一の構成部分には同一の符号を付して説明を省略する。図５（Ａ）に示すＲＦＩＤ型シート７１は、シート基部１２が切取線１４Ａ（切取ガイド部１５）により使用対象領域１３Ａ、１３Ｃに区分けされたもので、使用対象領域１３Ｃに接続パッド２２Ａ，２２Ｂが形成され、ＩＣチップ２１が搭載される。
【００４０】
上記接続パッド２２Ａ，２２Ｂよりそれぞれシート基部１２の測辺に沿って直角形状で合成アンテナ部７２Ａ，７２Ｂが所定幅で形成される。この合成アンテナ部７２Ａ，７２Ｂは、交信周波数９５０ＭＨｚに対応した長さであり、当該切取線１４Ａまでが交信周波数２．４５ＧＨｚに対応した長さで形成されるものである。この合成アンテナ部７２Ａ，７２Ｂにおいても接続パッド２２Ａ，２２Ｂと同様に、シート基部１２上に例えば導電性インキにより所定の印刷工程で形成させることができる。また、蒸着、エッチングや、薄膜金属の貼り付けによっても形成させることもできる。なお、合成アンテナ部７２Ａ，７２Ｂを金属材で形成させた場合に、図のように上記切取線１４Ａと交差する部分を幅細形状で形成すると破断させ易くすることができる。
【００４１】
上記のようなＲＦＩＤ型シート７１は、当初は合成アンテナ部７２Ａ，７２Ｂが周波数９５０ＭＨｚで交信可能な形状（長さ）であり、周波数２．４５ＧＨｚで交信可能な形状（長さ）をも内在するものである。すなわち、当初は周波数９５０ＭＨｚで交信可能であったものが、使用対象領域１３Ａを切取線１４Ｂで分離させることで、図５（Ｂ）に示すように、合成アンテナ部７２Ａ，７２Ｂが個別アンテナ部７４Ａ，７４Ｂとなり、周波数２．４５ＧＨｚで交信可能となるものである。
【００４２】
上記ＲＦＩＤ型シート７１を、上記図３に適用させた場合、交信周波数９５０ＭＨｚのリーダライタ４１Ｂを備える空港より、交信周波数９５０ＭＨｚのリーダライタ４１Ｃを備える例えば米国の空港に移動する場合のＲＦＩＤ型タグとして適用することができるものである。
【００４３】
このように、上記ＲＦＩＤ型シート７１を、交信周波数２．４５ＧＨｚに対応した形状を内在させた交信周波数９５０ＭＨｚの単一の合成アンテナ部７２Ａ，７３Ｂとすることによっても、上記同様に複数の周波数に対応可能としたアンテナ形成領域を一のアンテナ回路の領域のみで形成させて全体の形成領域を縮小させることができ、全体的に小型化させることができるものである。
【産業上の利用可能性】
【００４４】
本発明のＲＦＩＤ型シートは、上述のＲＦＩＤ型タグの他に、例えば展覧会場や劇場などで使用されるＲＦＩＤ型チケット、周遊券や特急券を含む鉄道乗車券、船舶や飛行機の搭乗券等にも適用することができる。
【図面の簡単な説明】
【００４５】
【図１】本発明に係るＲＦＩＤ型シートの第１実施形態の構成図である。
【図２】図１のＲＦＩＤ型シートのブロック概念図である。
【図３】本発明に係るＲＦＩＤ型シートの一適用例の説明図である。
【図４】本発明に係るＲＦＩＤ型シートの第２実施形態の構成図である。
【図５】本発明に係るＲＦＩＤ型シートの第３実施形態の構成図である。
【符号の説明】
【００４６】
１１，６１，７１  ＲＦＩＤ型シート
１２              シート基部
１３              使用対象領域
１４              切取線
１５              切取ガイド部
２１              ＩＣチップ
２３，７２        合成アンテナ部
２５，７４        個別アンテナ部
４１              リーダライタ
５２              ＲＦＩＤ型タグ
７３              切込部
【図１】
2005284517.tif 000003
【図２】
2005284517.tif 000004
【図３】
2005284517.tif 000005
【図４】
2005284517.tif 000006
【図５】
2005284517.tif 000007